(57)【要約】  本発明は、画像の表示効果を向上させるための、画像を送信する方法および装置に関する。方法は、移動端末から第１の解像度の画像を受信する工程と、画像の識別情報に従って、画像を取得するための要求をサーバーに送信する工程と、サーバーから第２の解像度の画像を受信する工程であって、第２の解像度が第１の解像度より高い工程とを含む。
2016539595.tif 000002
【特許請求の範囲】
【請求項１】
画像を送信する方法であって、
移動端末から第１の解像度の画像を受信する工程と、
前記画像の識別情報に従って、前記画像を取得するための要求をサーバーに送信する工程と、
前記サーバーから第２の解像度の画像を受信する工程であって、前記第２の解像度が前記第１の解像度より高い工程と、を含むことを特徴とする方法。
【請求項２】
前記画像の識別情報に従って前記画像を取得するための要求をサーバーに送信する前に、所定のアカウントで前記サーバーにログインする工程をさらに含み、
前記サーバーから第２の解像度の前記画像を受信する工程が、
前記所定のアカウントに対応する画像ベースで、前記サーバーから前記第２の解像度の前記画像を受信する工程を含むことを特徴とする請求項１に記載の方法。
【請求項３】
前記要求が装置の解像度を含み、前記第２の解像度と前記装置の前記解像度との差が前記画像の各々の解像度と前記装置の前記解像度との差の最小値であり、あるいは、
前記要求が前記装置の種類および／または前記装置の型式を含み、前記サーバーが、前記装置の前記種類および／または前記装置の前記型式に従って前記装置の前記解像度を判定し、前記第２の解像度と前記装置の前記解像度との差が、前記画像の各々の解像度と前記装置の前記解像度との差の最小値であることを特徴とする請求項１に記載の方法。
【請求項４】
前記画像の各々の解像度と前記装置の前記解像度との差の最小値が二つある場合に、前記第２の解像度が、前記装置の前記解像度より高いことを特徴とする請求項３に記載の方法。
【請求項５】
前記サーバーの各々の解像度の前記画像が、前記移動端末によりアップロードされることを特徴とする請求項１に記載の方法。
【請求項６】
前記第１の解像度の前記画像を表示する工程と、
前記第２の解像度の前記画像を受信した後に、前記第１の解像度の前記画像を前記第２の解像度の前記画像と入れ替える工程とをさらに含むことを特徴とする請求項１乃至５のいずれかに記載の方法。
【請求項７】
前記第１の解像度の前記画像を前記第２の解像度の前記画像と入れ替える工程が、リフレッシュするかたちで前記第１の解像度の前記画像を前記第２の解像度の前記画像と入れ替えることを特徴とする請求項６に記載の方法。
【請求項８】
画像を送信するための装置であって、
移動端末から第１の解像度の画像を受信するように構成された第１受信モジュールと、
前記画像の識別情報に従って前記画像を取得するための要求をサーバーに送信するように構成された送信モジュールと、
前記サーバーから、前記第１の解像度より高い第２の解像度の前記画像を受信するように構成された第２受信モジュールとを含むことを特徴とする装置。
【請求項９】
所定のアカウントで前記サーバーにログインするように構成されたログインモジュールをさらに含み、
前記第２受信モジュールが前記所定のアカウントに対応する画像ベースで、前記サーバーから前記第２の解像度の前記画像を受信するように構成されていることを特徴とする請求項８に記載の装置。
【請求項１０】
前記要求が装置の解像度を含み、前記第２の解像度と前記装置の前記解像度との差が、前記画像の各々の解像度と前記装置の前記解像度との差の最小値であるか、あるいは、
前記要求が前記装置の種類および／または前記装置の型式を含み、前記サーバーが、前記装置の前記種類および／または前記装置の前記型式に従って前記装置の前記解像度を判定し、前記第２の解像度と前記装置の前記解像度との差が、前記画像の各々の解像度と前記装置の前記解像度との差の最小値であることを特徴とする請求項８に記載の装置。
【請求項１１】
前記第１の解像度の前記画像を表示するように構成された第１表示モジュールと、
前記第２の解像度の前記画像を受信した後に、前記第１の解像度の前記画像を前記第２の解像度の前記画像と入れ替えるように構成された第２表示モジュールとをさらに含むことを特徴とする請求項８乃至１０のいずれか一項に記載の装置。
【請求項１２】
前記第２表示モジュールが、リフレッシュするかたちで前記第１の解像度の前記画像を前記第２の解像度の前記画像と入れ替えるように構成されていることを特徴とする請求項１１に記載の装置。
【請求項１３】
画像を送信するための装置であって、
プロセッサーと、
前記プロセッサーによって実行可能な命令を保存するように構成されたメモリとを含み、
前記プロセッサーが、
移動端末から第１の解像度の画像を受信し、
前記画像の識別情報に従って、前記画像を取得するための要求をサーバーに送信し、
前記サーバーから、前記第１の解像度より高い第２の解像度の前記画像を受信するように構成されていることを特徴とする装置。
【発明の詳細な説明】
【技術分野】
【０００１】
（関連出願の相互参照）
本願は、２０１４年８月２２日に中華人民共和国国家知識産権局に出願された中国特許出願第２０１４１０４１９２８５．２号の優先権を主張するものであり、当該出願の全文は引用により本明細書に組み込まれている。
【０００２】
本発明は、概して通信およびコンピューター処理の分野に関し、より詳細には、画像を送信する方法および装置に関する。
【背景技術】
【０００３】
電子工学技術の発展とともに、写真を撮影し、オンラインで画像を閲覧することは、一般的なサービスになっている。ユーザーはオンライン画像を閲覧し目的とする画像を自己のローカルディスクにダウンロードすることができる。ユーザーはまた、自己が撮影した優れた写真を友人と共有することができる。さらに、大半の電子製品はウェブサーフィン機能を有しているか、あるいは他の電子製品と通信することができる。例えば、ユーザーは携帯電話のテレビに画像を映して、テレビ上で画像を見ることができる。
【０００４】
本発明の発明者は、従来技術において、携帯電話の画面が、テレビの画面よりはるかに小さいこと、つまり携帯電話の解像度が、テレビの解像度より極めて低いことに気付いていた。ユーザーが携帯電話のテレビに画像を映す時、テレビに表示される画像は、その画像の解像度ゆえに不明瞭である。従って、高品位の画像を取得することは、切なる課題である。
【発明の概要】
【発明が解決しようとする課題】
【０００５】
従来技術に存在する問題の少なくとも一つを、少なくともある程度解決するために、本発明は、画像を送信するための方法および装置を提供している。
【課題を解決するための手段】
【０００６】
本発明の実施形態の第１の態様は、画像を送信する方法を提供するものであって、移動端末から第１の解像度の画像を受信する工程と、画像の識別情報に従って、画像を取得するための要求をサーバーに送信する工程と、サーバーから第２の解像度の画像を受信する工程であって、第２の解像度が第１の解像度より高い工程とを含んでいる。
【０００７】
本発明の実施形態により提供される当該技術的解決手法は、以下の有益な効果を有する。本発明の実施形態の装置は、移動端末から低解像度の画像を取得し、次いでサーバーから高解像度の画像を取得する要求を行って、ローカル装置での表示に適した高品位の画像を取得することで、表示効果を向上させている。
【０００８】
画像の識別情報に従って、画像を取得するための要求をサーバーに送信する前に、方法は、所定のアカウントでサーバーにログインする工程をさらに含み、サーバーから第２の解像度の画像を受信する工程は、所定のアカウントに対応する画像ベースで、サーバーから第２の解像度の画像を受信する工程を含んでいる。
【０００９】
本発明の実施形態により提供される当該技術的解決手法は、以下の有益な効果を有する。所定のアカウントでサーバーにログインすることによって、画像のビジターの身元情報が管理可能となり、画像の検索範囲を縮小することで、検索効率を向上させることができる。
【００１０】
要求は装置の解像度を含み、第２の解像度と装置の解像度との差は、画像の各々の解像度と装置の解像度との差の最小値である。あるいは、要求は装置の種類および／または装置の型式を含み、サーバーは、装置の種類および／または装置の型式に従って装置の解像度を判定し、第２の解像度と装置の解像度との差は、画像の各々の解像度と装置の解像度との差の最小値である。
【００１１】
本発明の実施形態により提供される当該技術的解決手法は、以下のような有益な効果を有する。装置の解像度に最も近い解像度の画像が、選択される。解像度が低い場合、表示効果は不十分なものとなり、解像度が高い場合、多くの送信リソースを占有することができる。従って、装置の解像度に最も近い解像度の画像を選択することで、取得画像の質が向上し、適切な量の送信リソースが占有される。
【００１２】
画像の各々の解像度と装置の解像度との差の最小値が二つある場合、第２の解像度は、装置の解像度より高い。
【００１３】
本発明の実施形態により提供される当該技術的解決手法は、以下のような有益な効果を有する。画像の各々の解像度と装置の解像度との差の最小値が二つある場合、装置の解像度より高い解像度の画像が選択されることで、画質が優先され、表示効果の向上に寄与する。
【００１４】
サーバーの各々の解像度の画像は、移動端末によってアップロードされる。
【００１５】
本発明の実施形態により提供される当該技術的解決手法は、以下のような有益な効果を有する。移動端末は、各々の解像度の同じ画像をアップロードすることができるため、異なる解像度を有する異なる表示装置が画像をダウンロードして表示するには好都合である。
【００１６】
方法は、第１の解像度の画像を表示する工程と、第２の解像度の画像を受信した後に、第１の解像度の画像を第２の解像度の画像と入れ替える工程とをさらに含む。
【００１７】
本発明の実施形態により提供される当該技術的解決手法は、以下のような有益な効果を有する。最初に低解像度の画像が表示され、高解像度の画像がダウンロードされた後に、高解像度の画像が表示される。従って、ユーザーは可能な限り早くに画像を閲覧することができるため、待ち時間が短縮される。さらに、ユーザーは短時間に高品位の画像を閲覧することができるため、閲覧効果は向上する。
【００１８】
第１の解像度の画像を第２の解像度の画像と入れ替える工程は、リフレッシュするかたちで第１の解像度の画像を第２の解像度の画像と入れ替える。
【００１９】
本発明の実施形態により提供される当該技術的解決手法は、以下のような有益な効果を有する。表示内容は、リフレッシュするかたちで入れ替えられるため、低品質から高品位な画像への円滑な移行が実現でき、表示内容の入れ替えが及ぼすユーザーへの影響は、低減される。
【００２０】
本発明の実施形態の第２の態様は、画像を送信する装置を提供するものであって、移動端末から第１の解像度の画像を受信するように構成された第１受信モジュールと、画像の識別情報に従って画像を取得するための要求をサーバーに送信するように構成された送信モジュールと、サーバーから、第１の解像度より高い第２の解像度の画像を受信するように構成される第２受信モジュールとを含む。
【００２１】
一つの実施形態では、装置は、所定のアカウントでサーバーにログインするように構成されたログインモジュールをさらに含み、そこでは、第２受信モジュールが、所定のアカウントに対応する画像ベースで、サーバーから第２の解像度の画像を受信するように構成されている。
【００２２】
一つの実施形態では、要求は、装置の解像度を含み、第２の解像度と装置の解像度との差が、画像の各々の解像度と装置の解像度との差の最小値であるか、あるいは、要求は、装置の種類および／または装置の型式を含み、サーバーは、装置の種類および／または装置の型式に従って装置の解像度を判定し、第２の解像度と装置の解像度との差は、画像の各々の解像度と装置の解像度との差の最小値である。
【００２３】
一つの実施形態では、装置は、第１の解像度の画像を表示するように構成された第１表示モジュールと、第２の解像度の画像を受信した後に、第１の解像度の画像を第２の解像度の画像と入れ替えるように構成された第２表示モジュールとをさらに含む。
【００２４】
一つの実施形態では、第２表示モジュールは、リフレッシュするかたちで第１の解像度の画像を第２の解像度の画像と入れ替えるように構成されている。
【００２５】
本発明の実施形態の第３の態様は、画像を送信する装置を提供するものであって、プロセッサーと、プロセッサーによって実行可能な命令を保存するように構成されたメモリとを含み、プロセッサーは移動端末から第１の解像度の画像を受信し、画像の識別情報に従って、画像を取得するための要求をサーバーに送信し、サーバーから、第１の解像度より高い第２の解像度の画像を受信するように構成されている。
【００２６】
前述の概要および以下の詳細な説明は、例示的かつ説明的なものにすぎず、特許請求される本発明の内容を制限するものではないことが理解されるべきである。
【図面の簡単な説明】
【００２７】
【図１Ａ】例示的な実施形態に従う表示インタフェースの概略図である。
【図１Ｂ】例示的な実施形態に従って画像を送信する方法のフローチャートである。
【図２】例示的な実施形態に従って画像を送信する方法のフローチャートである。
【図３】例示的な実施形態に従って画像を送信する方法のフローチャートである。
【図４】例示的な実施形態に従って画像を送信する装置のブロック図である。
【図５】例示的な実施形態に従って画像を送信する装置のブロック図である。
【図６】例示的な実施形態に従って画像を送信する装置のブロック図である。
【図７】例示的な実施形態に従う装置のブロック図である。
【発明を実施するための形態】
【００２８】
本明細書に組み込まれその一部を構成する添付の図面は、本発明と一致する実施形態を示しており、その記載とともに本発明の原理を説明するのに役立っている。
ここで、詳細については、添付の図面に示される例示的な実施形態や、例を参照する。以下の説明は添付の図面について言及しており、別段の記載がない限り、異なる図面中の同じ番号は、同じまたは類似の要素を示している。例示的な実施形態の以下の説明に記載される実現形態は、本発明と一致する実現形態のすべてを表すものではない。むしろ、添付の請求項で詳述されるように、これらは、本発明と関連する態様と一致する装置および方法の単なる例にすぎない。
【００２９】
従来技術において、テレビの表示画面は、携帯電話の画面より大きい。より良好な表示効果を得て、知人とともに画像を閲覧するために、ユーザーは、携帯電話の画像をテレビに送信して、テレビに画像を表示することができる。しかしながら、携帯電話の画像の解像度は、テレビの画像よりは低い。テレビの画像の表示効果ついては、図１Ａに示しており、テレビの表示インタフェースは１１、画像は１２で示している。大きい空白の領域が、意図する表示効果を取得していないテレビの表示インタフェースに存在していることは明らかである。表示インタフェース全体を満たすべく画像が拡大されると、画像は不鮮明となり、表示効果は低下する。実施形態では、この問題を解決するため、携帯電話から低解像度の画像を受信した後に、テレビがサーバーから高解像度の同じ画像を取得して、テレビの表示要件を満たすことで、表示効果を向上させることが可能である。
【００３０】
図１Ｂは、例示的な実施形態に従って画像を送信する方法のフローチャートである。図１Ｂに示すように、この方法は大画面の表示装置に実装され、以下の工程を含むことができる。
【００３１】
工程Ｓ１０１では、第１の解像度の画像が移動端末から受信される。
【００３２】
工程Ｓ１０２では、画像を取得するための要求が、画像の識別情報に従ってサーバーに送信される。
【００３３】
工程Ｓ１０３では、第２の解像度の画像がサーバーから受信され、第２の解像度は第１の解像度より高い。
【００３４】
この実施形態は、携帯電話のより高い解像度の表示画面を有する装置に適している。移動端末から画像を受信すると、装置は、高い解像度の同じ画像を取得するために、サーバーに要求を送信し、それにより表示効果が向上し、装置の性能を最大限に発揮させる。
【００３５】
例えば、移動端末の解像度は１０２４×７６８であり、移動端末に保存される画像の解像度もまた１０２４×７６８、すなわち、１Ｋ（画像の解像度を示す）の画像と称されるものである。テレビの解像度は、４０９６×２１６０である。移動端末は、１Ｋの画像をテレビに送信する。１Ｋの画像を受信した後、テレビは４Ｋの画像を取得するために、要求をサーバーに送信する（対応する画像の解像度は、４０９６×２１６０である）。４Ｋの画像を受信した後、テレビはローカル装置に画像を表示する。この方法により、高解像度の画像が取得され、表示効果が向上する。
【００３６】
一つの実施形態では、１００ＺＰ１００１等の画像の識別情報は、移動端末またはカメラで写真を撮影する際に、自動的に生成される識別情報であってもよく、その場合に、同じ型式の移動端末が、同じ識別情報を有する場合がある。異なる画像が同じ識別情報を有する場合があるため、サーバーからの画像が、移動端末からの画像と異なっていたり、また、他のユーザーの画像が、別のユーザーによって許可なく取得される可能性があり、他のユーザーの画像のセキュリティに悪影響を及ぼす場合がある。この問題を解決するために、実施形態において、方法は、サーバーへのログインを所定のアカウントで行う工程Ａをさらに含んでいる。従って、工程Ｓ１０３では、第２の解像度の画像は、所定のアカウントに対応する画像ベースでサーバーから受信される。
【００３７】
ユーザーは、所定のアカウントを用いて移動端末を通じてサーバーにログインし、第２の解像度の画像をアップロードして、第２の解像度の画像をサーバーに保存する。移動端末とテレビのそれぞれにおいて、同じアプリケーションには、同じ所定のアカウントでログインすることができ、移動端末とテレビは、そのアプリケーションを通じて相互に通信する。移動端末は、アプリケーションを介して第１の解像度の画像をテレビに送信する。テレビでは、所定のアカウントを用いてアプリケーションにログインが行われるため、すなわち、テレビは、所定のアカウントを介してサーバーと通信するため、テレビが画像を取得するための要求をサーバーに送信する時は、アカウントの情報も担持されサーバーに送信される。要求を受信した後に、サーバーは、所定のアカウントに対応する画像ベースで、テレビが要求する画像を検索し、例えば、サーバーは４Ｋの画像１００ＺＰ１００１を検索する。次いで、サーバーは検出した画像をテレビに送信する。
【００３８】
一つの実施形態では、セキュリティを向上させるために、方法は、セキュリティ認証のための情報をサーバーに送信する工程Ｂをさらに含む。従って、工程Ｓ１０３では、認証に成功した後、第２の解像度の画像が、サーバーから受信される。
【００３９】
テレビは、単独でセキュリティ認証のための情報を送ることも、あるいは、要求にセキュリティ認証のための情報を担持することも可能である。サーバーは、セキュリティ認証のための情報について認証を行う。認証が成功した場合、サーバーは、テレビが要求する画像を検索して、画像をテレビにフィードバックする。認証に失敗した場合、サーバーは、拒絶の応答をテレビに送信する。セキュリティ認証のための情報は、パスワードまたは検証コードであってもよい。
【００４０】
一つの実施形態では、サーバーは、同じ内容を有する異なる解像度の画像を保存することができる。テレビが、テレビの解像度に対応した解像度の画像の取得を要求する場合、表示効果を向上させるために高品位の画像が取得され、適切な量の送信リソースが占有される。この問題を解決するため、要求は装置の解像度を含んでおり、第２の解像度と装置の解像度との差は、画像の各々の解像度と装置の解像度との差の最小値である。
【００４１】
別の実施形態では、要求は、装置の解像度を直接担持する代わりに、装置の種類および／または装置の型式を含んでいる。サーバーは、装置の種類および／または装置の型式に従って装置の解像度を判定する。次いで、サーバーは、装置の解像度に適合する画像、すなわち第２の解像度と装置の解像度との差が、画像の各々の解像度と装置の解像度との差の最小値である画像を検索する。装置の種類は、ＸＸのテレビ、ＸＸのタブレット型パソコンおよびＸＸの表示装置であってもよい。ある一定のブランドが一つの型式のテレビのみを製造する場合、テレビの解像度を判定することができる。装置の型式は、例えばＸＸの４７インチ超薄型テレビ等の、装置のブランドおよび種類を含むことができる。
【００４２】
例えば、移動端末の解像度は１０２４×７６８であり、移動端末に保存される画像１００ＺＰ１００１の解像度もまた１０２４×７６８、すなわち、１Ｋ（画像の解像度を示す）の画像と称されるものである。テレビの解像度は、３００８×１６２０である。移動端末は、１Ｋの画像をテレビに送信する。１Ｋの画像を受信した後、テレビは、画像１００ＺＰ１００１を取得するための要求をサーバーに送信し、その要求はテレビの解像度３００８×１６２０と、画像の識別情報１００ＺＰ１００１を担持している。サーバーは、例えば１０２４×７６８、１９２０×１０８０、３００８×１６２０および４０９６×２１６０等の異なる解像度の画像１００ＺＰ１００１を保存する。サーバーは、装置の解像度３００８×１６２０を画像１００ＺＰ１００１の各々の解像度と比較し、画像１００ＺＰ１００１の解像度３００８×１６２０と装置の解像度との差が最小値、すなわち、差がゼロであること判定する。次いで、サーバーは解像度３００８×１６２０の画像１００ＺＰ１００１をテレビに送信する。この差は、二つの解像度の差の絶対値である。
【００４３】
一つの実施形態では、サーバーが解像度３００８×１６２０の画像１００ＺＰ１００１を保存しない場合、解像度１９２０×１０８０と装置の解像度３００８×１６２０との差と、解像度４０９６×２１６０と装置の解像度３００８×１６２０との差は、画像の各々の解像度と装置の解像度との差の二つの最小値である。次いで、上記二つの解像度の画像のうちのいずれが、サーバーによってテレビに送信されるのか。この問題を解決するため、この実施形態では、画像の各々の解像度と装置の解像度との差の最小値が二つある場合は、第２の解像度が、装置の解像度より高くなっている。換言すれば、３００８×１６２０より高い解像度は、解像度１９２０×１０８０と４０９６×２１６０から、すなわち、解像度４０９６×２１６０が選択される。
【００４４】
実施形態では、画質が、ネットワークリソースの占有率より優先して考慮されるため、高品位の画像が取得できる。解像度４０９６×２１６０の画像を受信した後、テレビは、解像度４０９６×２１６０の画像を解像度３００８×１６２０の画像に低下させて画像表示を行う。
【００４５】
一つの実施形態では、直ちに画像を表示して、良好なユーザー機能を得るために、方法は工程Ｃ１および工程Ｃ２をさらに含んでいる。
【００４６】
工程Ｃ１では、第１の解像度の画像が表示される。
【００４７】
工程Ｃ２では、第２の解像度の画像が受信された後、第１の解像度の画像が第２の解像度の画像と入れ替えられる。
【００４８】
第１の解像度の画像を受信すると、テレビは、第１の解像度の画像を直ちに表示するため、画像の送信から画像を閲覧するまでの時間間隔が短縮される。第２の解像度の画像を受信した後、テレビは第２の解像度の画像を表示し、第１の解像度の画像を非表示にするか、取り消しを行う。従って、ユーザーは可能な限り早く、画像を閲覧することができ、第２の解像度の画像を受信した後、高品位の画像を閲覧することができる。
【００４９】
一つの実施形態では、工程Ｃ２において、第１の解像度の画像を、リフレッシュするかたちで第２の解像度の画像と入れ替える。
【００５０】
例えば、移動端末から第１の解像度の画像を受信すると、テレビは、第１バッファに第１の解像度の画像を保存する。第１の解像度の画像を表示すると、テレビは、第１バッファから第１の解像度の画像を取得し、第１の解像度の画像で画面をリフレッシュする。第２の解像度の画像を受信すると、テレビは、第２の解像度の画像を第２バッファに保存する。テレビは、第２バッファから第２の解像度の画像を取得して、第２の解像度の画像で画面をリフレッシュする。このようにして、第１の解像度の画像は第２の解像度の画像と入れ替えられる。さらに、画像の入れ替えは、リフレッシュが眼には分からないほど素早く行われるため、第１の解像度の画像から第２の解像度の画像への円滑な移行が実現し、ユーザーの閲覧効果に対する影響は低減される。
【００５１】
画像を送信する処理については、複数の実施形態を参照して詳述する。
【００５２】
図２は、例示的な実施形態に従って画像を送信する方法のフローチャートである。図２に示すように、方法は、移動端末や、大画面を備えた表示装置（テレビ等）とサーバーで実現することができ、以下の工程を含んでいる。
【００５３】
工程２０１では、移動端末は、第１の解像度の画像をテレビに送信する。
【００５４】
工程２０２では、テレビは、第１の解像度の画像を受信した後、所定のアカウントを用いてサーバーにログインする。
【００５５】
工程２０３では、テレビは、画像を取得するために、テレビの解像度および画像の識別情報を担持した要求をサーバーに送信する。
【００５６】
工程２０４では、サーバーは、テレビの解像度に適合する解像度を有し、画像の識別情報に対応する識別情報を有する画像を、所定のアカウントに対応する画像ベースで検索する。
【００５７】
工程２０５では、テレビは、第２の解像度の画像をサーバーから受信する。
【００５８】
工程２０６では、テレビは、第２の解像度の画像を表示する。
【００５９】
実施形態では、テレビは所定のアカウントでサーバーにログインする。サーバーは、所定のアカウントに対応する画像ベースで、テレビが要求する画像を検索し、検索される画像は、テレビの解像度と適合する解像度を有する。こうして、テレビは高品位の画像を得ることができ、表示効果の向上が図られ、送信リソースが効率的に利用され得る。
【００６０】
図３は、例示的な実施形態に従って画像を送信する方法のフローチャートである。図３に示すように、方法は、移動端末や、大画面を備えた表示装置（テレビ等）とサーバーで実現することができ、以下の工程を含んでいる。
【００６１】
工程３０１では、移動端末は、第１の解像度の画像をテレビに送信する。
【００６２】
工程３０２では、テレビは、第１の解像度の画像を第１バッファに保存し、第１の解像度の画像を表示する。
【００６３】
工程３０３では、テレビは、画像を取得するために、テレビの型式および画像の識別情報を担持した要求をサーバーに送信する。
【００６４】
工程３０４では、サーバーは、受信したテレビの型式に従って、テレビの解像度を判定する。
【００６５】
工程３０５では、サーバーは、判定されたテレビの解像度および画像の識別情報に従って画像を検索する。
【００６６】
工程３０６では、テレビは、サーバーから第２の解像度の画像を受信する。
【００６７】
工程３０７では、テレビは、第２の解像度の画像を第２バッファに保存し、第２の解像度の画像を表示する。
【００６８】
実施形態では、テレビは、第２バッファにおいて画面の画像をリフレッシュし、第２の解像度の画像が表示される。また、第１の解像度の画像が第２の解像度の画像と入れ替わる時、ユーザーがそれに気付くことは困難である、すなわち、第１の解像度の画像から第２の解像度の画像への円滑な移行が実現し、より良好な表示効果とより良好なユーザー経験を得ることが可能となる。
【００６９】
以上、画像を送信する処理を説明した。前述した処理は、大画面を備える表示装置で実現されることができる。以下、その表示装置の内部構造と機能について、説明する。図４は、例示的な実施形態に従って画像を送信する装置のブロック図である。図４を参照すると、装置は、第１受信モジュール４０１、送信モジュール４０２、および第２受信モジュール４０３を含む。装置は、携帯電話より大きな表示画面を有するテレビ、デスクトップコンピューター、ノートブックコンピューターおよびタブレット型パーソナルコンピューター等の装置であってもよい。
【００７０】
第１受信モジュール４０１は、移動端末から第１の解像度の画像を受信するように構成されている。
【００７１】
送信モジュール４０２は、画像の識別情報に従って画像を取得するための要求をサーバーに送信するように構成されている。
【００７２】
第２受信モジュール４０３は、サーバーから第２の解像度の画像を受信するように構成されており、第２の解像度は第１の解像度より高い。
【００７３】
一つの実施形態では、図５に示すように、装置は、ログインモジュール４０４をさらに含む。
【００７４】
ログインモジュール４０４は、所定のアカウントでサーバーにログインするように構成されている。
【００７５】
第２受信モジュール４０３は、所定のアカウントに対応する画像ベースで、サーバーから第２の解像度の画像を受信するように構成されている。
【００７６】
一つの実施形態では、要求は装置の解像度を含み、第２の解像度と装置の解像度との差は、画像の各々の解像度と装置の解像度との差の最小値あり、あるいは、要求は装置の種類および／または装置の型式を含み、サーバーが、装置の種類および／または装置の型式に従って装置の解像度を判定し、第２の解像度と装置の解像度との差は、画像の各々の解像度と装置の解像度との差の最小値である。
【００７７】
一つの実施形態では、図６に示すように、装置は、第１表示モジュール４０５および第２表示モジュール４０６をさらに含む。
【００７８】
第１表示モジュール４０５は、第１の解像度の画像を表示するように構成されている。
【００７９】
第２表示モジュール４０６は、第２の解像度の画像を受信した後に、第１の解像度の画像を第２の解像度の画像と入れ替えるように構成されている。
【００８０】
一つの実施形態では、第２表示モジュール４０６は、リフレッシュするかたちで第１の解像度の画像を第２の解像度の画像と入れ替えるように構成されている。
【００８１】
上記の実施形態の装置に関して、装置内の個々のモジュールを操作するための特定の様式は、本明細書では詳述されない画像の送信方法に関して、実施形態において詳しく記載している。
【００８２】
図７は、例示的な実施形態に従って画像を送信する装置７００のブロック図である。例えば、装置７００は、携帯電話、テレビ、コンピューター、デジタル放送端末、メッセージ装置、ゲームコンソール、タブレット、医療装置、運動機器、携帯情報端末であってもよい。
【００８３】
図７を参照すると、装置７００は、以下のコンポーネントの一つ以上を含むことができ、それらは、処理コンポーネント７０２、メモリ７０４、電源コンポーネント７０６、マルチメディアコンポーネント７０８、音声コンポーネント７１０、入出力（Ｉ／Ｏ）インタフェース７１２、センサーコンポーネント７１４および通信コンポーネント７１６である。
【００８４】
処理コンポーネント７０２は、典型的に、表示装置、電話、データ通信、カメラ操作および記録と関連する操作等の、装置７００全体の操作を制御する。処理コンポーネント７０２は、上記の方法における工程のすべてまたは一部を行う命令を実施するための、一つ以上のプロセッサー７２０を含むことができる。さらに、処理コンポーネント７０２は、処理コンポーネント７０２と他のコンポーネントとの間の対話処理を促す一つ以上のモジュールを含むことができる。例えば、処理コンポーネント７０２は、マルチメディアコンポーネント７０８と処理コンポーネント７０２の間に対話処理を促すために、マルチメディアのモジュールを含むことができる。
【００８５】
メモリ７０４は、様々な種類のデータを保存して、装置７００の動作を支持するように構成されている。そのようなデータの例は、装置７００、接点データ、電話帳データ、メッセージ、画像、ビデオ等で動作する任意のアプリケーションまたは方法に対する命令を含む。メモリ７０４は、例えば、静的ランダムアクセスメモリ（ＳＲＡＭ）、電気的消去可能プログラム可能型読取専用メモリ（ＥＥＰＲＯＭ）、消去及びプログラム可能読取専用メモリ（ＥＰＲＯＭ）、プログラマブル読出し専用メモリ（ＰＲＯＭ）、読出し専用メモリ（ＲＯＭ）、磁気記憶装置、フラッシュメモリ、磁気ディスクまたは光ディスク等の任意の形態の揮発性または不揮発性のメモリ装置あるいはそれらの組合せを擁して実装することができる。
【００８６】
電源コンポーネント７０６は、装置７００の種々のコンポーネントに電源を供給する。電源コンポーネント７０６は、電力管理システム、一つ以上の電源、ならびに装置７００における電源の生成、管理および分配と関連する任意の他のコンポーネントを含むことができる。
【００８７】
マルチメディアコンポーネント７０８は、装置７００とユーザーの間に出力インタフェースを提供する画面を含む。いくつかの実施形態では、画面は液晶式表示装置（ＬＣＤ）およびタッチパネル（ＴＰ）を含むことができる。画面がタッチパネルを含む場合、画面は、ユーザーから入力信号を受信するタッチスクリーンとして実装することができる。タッチパネルは、タッチパネル上のタッチ、スワイプ、およびジェスチャーを感知するための一つ以上のタッチセンサーを含む。タッチセンサーは、タッチとスワイプの動作の境目を感知するだけでなく、タッチまたはスワイプの動作に関連する時間および圧力をも感知する。いくつかの実施形態では、マルチメディアコンポーネント７０８は、前方カメラおよび／または後方カメラを含む。前方カメラおよび後方カメラは、装置７００が写真モードやビデオモード等の動作モードにある間に、外部のマルチメディアデータを受信することができる。前方カメラおよび後方カメラの各々は、固定焦点の光学レンズ系であってもよく、焦点および光学ズームの能力を有してもよい。
【００８８】
音声コンポーネント７１０は、音声信号を出力および／または入力するように構成されている。例えば、音声コンポーネント７１０は、装置７００が呼出モード、記録モードおよび音声認識モード等の動作モードにある場合に、外部の音声信号を受信するように構成されたマイクロホン（ＭＩＣ）を含んでいる。受信された音声信号は、メモリ７０４にさらに保存するか、通信コンポーネント７１６を介して送信することができる。いくつかの実施形態では、音声コンポーネント７１０は、音声信号を出力するためのスピーカーをさらに含んでいる。
【００８９】
入出力インタフェース７１２は、処理コンポーネント７０２と、キーボード、クリックホイール、ボタンなどの周辺インタフェースモジュールとの間のインタフェースを提供する。ボタンには、これらに限定されるものではないが、ホームボタン、ボリュームボタン、始動ボタンおよびロックボタンがある。
【００９０】
センサーコンポーネント７１４は、装置７００の種々の態様の状態評価を行うために、一つ以上のセンサーを含む。例えば、センサーコンポーネント７１４は、装置７００の開放／閉鎖状態、例えば、装置７００の表示装置とキーパッド等のコンポーネントの相対位置調整、装置７００または装置７００の一つのコンポーネントの位置変更、ユーザーと装置７００との接触の有無、装置７００の配向または加速／減速、ならびに装置７００の温度変化を検出することができる。センサーコンポーネント７１４は、物理的な接触を何ら介さずに近傍の物体の存在を検出するように構成された近接センサーを含むことができる。センサーコンポーネント７１４はまた、画像形成用途に用いるＣＭＯＳまたはＣＣＤの画像センサー等の光センサーを含むこともできる。いくつかの実施形態では、センサーコンポーネント７１４は、加速度計センサー、ジャイロセンサー、磁気センサー、圧力センサー、または温度センサーを含むこともできる。
【００９１】
通信コンポーネント７１６は、装置７００と他の装置との間の有線または無線の通信を促すように構成されている。装置７００は、ＷｉＦｉ、２Ｇ、または３Ｇ等の通信基準、あるいは、それらの組合せに基づいてワイヤレスネットワークにアクセスすることができる。一つの例示的な実施形態では、通信コンポーネント７１６は、外部の放送管理システムから放送チャネルを介して、放送信号または放送関連情報を受信する。一つの例示的な実施形態では、通信コンポーネント７１６は、短距離通信を促すための近距離場通信（ＮＦＣ）モジュールをさらに含む。例えば、ＮＦＣモジュールは、無線自動識別（ＲＦＩＤ）技術、赤外線通信協会（ＩｒＤＡ）技術、超広帯域（ＵＷＢ）技術、ブルートゥース（ＢＴ）技術、その他の技術に基づいて実装することができる。
【００９２】
例示的な実施形態では、装置７００は、特定用途向け集積回路（ＡＳＩＣ）、デジタル信号プロセッサー（ＤＳＰ）、デジタル信号処理装置（ＤＳＰＤ）、プログラム可能論理回路（ＰＬＤ）、フィールドプログラマブルゲートアレイ（ＦＰＧＡ）、コントローラ、マイクロコントローラ、マイクロプロセッサーまたは他の電子部品の一つ以上を実装して、上記方法を実施することができる。
【００９３】
例示的な実施形態では、上記方法を実施するために、例えばメモリ７０４に含まれ、装置７００のプロセッサー７２０で実行可能な命令を含む非一過性コンピューター可読記憶媒体もが備えられている。例えば、非一過性コンピューター可読記憶媒体は、ＲＯＭ、ＲＡＭ、ＣＤ−ＲＯＭ、磁気テープ、フロッピー（登録商標）ディスク、光学データ記憶装置であってもよい。
【００９４】
画像を送信するためのある一つの装置は、プロセッサーと、プロセッサーによって実行可能な命令を保存するように構成されたメモリとを含み、プロセッサーは移動端末から第１の解像度の画像を受信し、画像の識別情報に従って、画像を取得するための要求をサーバーに送信し、サーバーから、第１の解像度より高い第２の解像度の画像を受信するように構成されている。
【００９５】
プロセッサーはさらに、画像の識別情報に従って画像を取得するための要求をサーバーに送信する前に、所定のアカウントでサーバーにログインするように構成されている。サーバーから第２の解像度の画像を受信する工程は、所定のアカウントに対応する画像ベースで、サーバーから第２の解像度の画像を受信する工程を含んでいる。
【００９６】
プロセッサーはさらに、要求が装置の解像度を含み、第２の解像度と装置の解像度との差が、画像の各々の解像度と装置の解像度との差の最小値であり、あるいは、要求が装置の種類および／または装置の型式を含み、サーバーが、装置の種類および／または装置の型式に従って装置の解像度を判定し、第２の解像度と装置の解像度との差が、画像の各々の解像度と装置の解像度との差の最小値となるように構成されている。
【００９７】
プロセッサーはさらに、画像の各々の解像度と装置の解像度との差の最小値が二つある場合に、第２の解像度が、装置の解像度より高くなるように構成されている。
【００９８】
プロセッサーはさらに、サーバーの各々の解像度の画像が、移動端末によりアップロードされるように構成されている。
【００９９】
プロセッサーはさらに、第１の解像度の画像を表示し、第２の解像度の画像を受信した後に、第１の解像度の画像を第２の解像度の画像と入れ替えるように構成されている。
【０１００】
プロセッサーはさらに、第１の解像度の画像を第２の解像度の画像と入れ替える工程は、リフレッシュするかたちで第１の解像度の画像を第２の解像度の画像と入れ替えることを含むように構成されている。
【０１０１】
一つの非一過性コンピューター可読記憶媒体が設けられており、記憶媒体の命令が移動端末のプロセッサーによって実行される場合に、移動端末は画像を送信するための方法を実行することができ、その方法は、移動端末から第１の解像度の画像を受信する工程と、画像の識別情報に従って、画像を取得するための要求をサーバーに送信する工程と、サーバーから、第１の解像度より高い第２の解像度の画像を受信する工程とを含んでいる。
【０１０２】
方法は、画像の識別情報に従って画像を取得するための要求をサーバーに送信する前に、所定のアカウントでサーバーにログインする工程をさらに含み、サーバーから第２の解像度の画像を受信する工程は、所定のアカウントに対応する画像ベースで、サーバーから第２の解像度の画像を受信する工程を含んでいる。
【０１０３】
方法ではさらに、要求は装置の解像度を含み、第２の解像度と装置の解像度との差は、画像の各々の解像度と装置の解像度との差の最小値であり、あるいは、要求は装置の種類および／または装置の型式を含み、サーバーが装置の種類および／または装置の型式に従って装置の解像度を判定し、第２の解像度と装置の解像度との差は、画像の各々の解像度と装置の解像度との差の最小値である。
【０１０４】
画像の各々の解像度と装置の解像度との差の最小値が二つある場合、第２の解像度が装置の解像度より高い。
【０１０５】
方法ではさらに、サーバーの各々の解像度の画像は、移動端末によってアップロードされる。
【０１０６】
方法は、第１の解像度の画像を表示する工程と、第２の解像度の画像を受信した後に、第１の解像度の画像を第２の解像度の画像と入れ替える工程とをさらに含んでいる。
【０１０７】
第１の解像度の画像を第２の解像度の画像と入れ替える工程は、リフレッシュするかたちで第１の解像度の画像を第２の解像度の画像と入れ替える工程を含む。
【０１０８】
本発明の他の実施形態は、明細書の考察および本明細書で開示される開示内容を実行することにより当業者には明らかであろう。本出願は、その一般原理に従って本発明の任意の変形形態、利用形態、または適合形態を網羅し、当該分野における既知のまたは慣習的な実施形態として、本発明から派生するものを含むことが意図されている。明細書および実施例は、例示なものであって、特許請求の範囲は、本発明の真の範囲および精神を示すことが意図されている。
【０１０９】
本発明は、上記で述べられ、添付の図面に示される厳密な構造に制限されず、様々な修正形態および変更形態が、本発明の範囲を逸脱しない限りにおいてなされ得ることが理解されるであろう。本発明の保護範囲は、添付の特許請求の範囲によってのみ制限されることが意図されている。
【図１Ａ】
2016539595.tif 000003
【図１Ｂ】
2016539595.tif 000004
【図２】
2016539595.tif 000005
【図３】
2016539595.tif 000006
【図４】
2016539595.tif 000007
【図５】
2016539595.tif 000008
【図６】
2016539595.tif 000009
【図７】
2016539595.tif 000010
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
画像を送信する方法であって、
移動端末から第１の解像度の画像を受信する工程と、
前記画像の識別情報に従って、前記画像を取得するための要求をサーバーに送信する工程と、
前記サーバーから第２の解像度の画像を受信する工程であって、前記第２の解像度が前記第１の解像度より高い工程と、を含むことを特徴とする方法。
【請求項２】
前記画像の識別情報に従って前記画像を取得するための要求をサーバーに送信する前に、所定のアカウントで前記サーバーにログインする工程をさらに含み、
前記サーバーから第２の解像度の前記画像を受信する工程が、
前記所定のアカウントに対応する画像ベース で、前記サーバーから前記第２の解像度の前記画像を受信する工程を含むことを特徴とする請求項１に記載の方法。
【請求項３】
前記要求が装置の解像度を含み、前記第２の解像度と前記装置の前記解像度との差が前記画像の各々の解像度と前記装置の前記解像度との差の最小値であり、あるいは、
前記要求が前記装置の種類および／または前記装置の型式を含み、前記サーバーが、前記装置の前記種類および／または前記装置の前記型式に従って前記装置の前記解像度を判定し、前記第２の解像度と前記装置の前記解像度との差が、前記画像の各々の解像度と前記装置の前記解像度との差の最小値であることを特徴とする請求項１に記載の方法。
【請求項４】
前記画像の各々の解像度と前記装置の前記解像度との差の最小値が二つある場合に、前記第２の解像度が、前記装置の前記解像度より高いことを特徴とする請求項３に記載の方法。
【請求項５】
前記サーバーの各々の解像度の前記画像が、前記移動端末によりアップロードされることを特徴とする請求項１に記載の方法。
【請求項６】
前記第１の解像度の前記画像を表示する工程と、
前記第２の解像度の前記画像を受信した後に、前記第１の解像度の前記画像を前記第２の解像度の前記画像と入れ替える工程とをさらに含むことを特徴とする請求項１乃至５のいずれかに記載の方法。
【請求項７】
前記第１の解像度の前記画像を前記第２の解像度の前記画像と入れ替える工程が、リフレッシュするかたちで前記第１の解像度の前記画像を前記第２の解像度の前記画像と入れ替えることを特徴とする請求項６に記載の方法。
【請求項８】
画像を送信するための装置であって、
移動端末から第１の解像度の画像を受信するように構成された第１受信モジュールと、
前記画像の識別情報に従って前記画像を取得するための要求をサーバーに送信するように構成された送信モジュールと、
前記サーバーから、前記第１の解像度より高い第２の解像度の前記画像を受信するように構成された第２受信モジュールとを含むことを特徴とする装置。
【請求項９】
所定のアカウントで前記サーバーにログインするように構成されたログインモジュールをさらに含み、
前記第２受信モジュールが前記所定のアカウントに対応する画像ベースで、前記サーバーから前記第２の解像度の前記画像を受信するように構成されていることを特徴とする請求項８に記載の装置。
【請求項１０】
前記要求が装置の解像度を含み、前記第２の解像度と前記装置の前記解像度との差が、前記画像の各々の解像度と前記装置の前記解像度との差の最小値であるか、あるいは、
前記要求が前記装置の種類および／または前記装置の型式を含み、前記サーバーが、前記装置の前記種類および／または前記装置の前記型式に従って前記装置の前記解像度を判定し、前記第２の解像度と前記装置の前記解像度との差が、前記画像の各々の解像度と前記装置の前記解像度との差の最小値であることを特徴とする請求項８に記載の装置。
【請求項１１】
前記第１の解像度の前記画像を表示するように構成された第１表示モジュールと、
前記第２の解像度の前記画像を受信した後に、前記第１の解像度の前記画像を前記第２の解像度の前記画像と入れ替えるように構成された第２表示モジュールとをさらに含むことを特徴とする請求項８乃至１０のいずれか一項に記載の装置。
【請求項１２】
前記第２表示モジュールが、リフレッシュするかたちで前記第１の解像度の前記画像を前記第２の解像度の前記画像と入れ替えるように構成されていることを特徴とする請求項１１に記載の装置。
【請求項１３】
請求項１から７のいずれか１項に記載の画像を送信する方法を、コンピュータでの実行を可能にする、コンピュータプログラム。
【請求項１４】
請求項１３に記載のコンピュータプログラムを含む、コンピュータ可読記憶媒体。
【国際調査報告】
2016539595.tif 000011
2016539595.tif 000012
2016539595.tif 000013
2016539595.tif 000014